(57)【要約】【課題】磁気センサを保護すると共に磁石による不正行為を適確に検出し得る遊技機を提供する。【解決手段】第１センサ設置部５８に、前方に開口する収容保持部５９が設けられる。収容保持部５９に、磁気センサ５４が前側から挿脱自在に収容されるよう構成される。収容保持部５９に収容した磁気センサ５４は、ネジ６７によって第１センサ設置部５８に位置決め固定される。第１センサ設置部５８の前端は、設置部材の開放端に位置するよう設定される。設置部材を板状部材の裏側に取り付けた状態で、第１センサ設置部５８に取り付けられた磁気センサ５４は、リード片の延在方向が板状部材の裏面に沿うと共に、該磁気センサ５４の前面が板状部材の裏面に近接して対向する。【選択図】図７
2015029732.tif 000002
【特許請求の範囲】
【請求項１】
遊技球が流下する遊技領域が前側に設けられた板状本体と、前方に開放する箱状に形成され、前記板状本体の裏側に取り付けられる設置部材と、一対のリード片をケーシング内に接離可能に対向配置して構成された磁気センサとを備えた遊技機において、
前記設置部材に、前記板状本体の裏面と対向してセンサ設置部が設けられ、
前記センサ設置部に、
前記磁気センサを、前記リード片の延在方向を板状本体の裏面に沿わせる姿勢で収容保持する収容保持部と、
前記収容保持部に保持した磁気センサにおける少なくとも検出部を前側に露出する開口部とが設けられる
ことを特徴とする遊技機。
【請求項２】
前記センサ設置部は、該センサ設置部の前端が、前記設置部材の開放端に位置するように設けられる請求項１記載の遊技機。
【請求項３】
前記センサ設置部は、前後方向に弾性変形可能に構成される請求項１または２記載の遊技機。
【請求項４】
前記センサ設置部の開口部は、前記収容保持部に収容した磁気センサの前面を全て露出するように開口すると共に、該収容保持部に収容した磁気センサの前面がセンサ設置部の前端に位置するよう構成される請求項１〜３の何れか一項に記載の遊技機。
【請求項５】
前記センサ設置部の開口部は、前記収容保持部に対して磁気センサを前側から挿脱自在に収容し得る形状に形成されると共に、該開口部から収容保持部に収容した磁気センサの前面に係脱自在に係合して該磁気センサを収容保持部に位置決め固定する固定手段を備える請求項１〜４の何れか一項に記載の遊技機。
【請求項６】
前記センサ設置部の前面に、後方に凹む凹部が設けられ、前記固定手段における磁気センサの前面に係合する係合部が凹部内に臨むよう構成される請求項５記載の遊技機。
【発明の詳細な説明】
【技術分野】
【０００１】
この発明は、磁石の磁気を検出可能な磁気センサを備えた遊技機に関するものである。
【背景技術】
【０００２】
代表的な遊技機であるパチンコ機は、前面に遊技領域が画成された板状部材と、該板状部材の裏側に配設された設置部材とから遊技盤が構成され、板状部材の略中央位置に枠状の装飾部材(所謂センター役物)が配設されると共に、設置部材に複数の図柄を変動表示して図柄変動演出を行う液晶式やドラム式等の図柄表示装置が配設されて、該図柄表示装置の表示部を枠状装飾部材の開口部に後方から臨ませて、該開口部を介して表示部で実行される演出を前側から視認可能に構成されている。また、板状部材における枠状装飾部材の下方位置に、パチンコ球(遊技球)の入賞により図柄表示装置での変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂大当りが発生し、前記特別入賞装置が開放して多数の賞球を獲得し得るよう構成される。
【０００３】
ここで、パチンコ遊技場においては、パチンコ機のガラス面に磁石を近づけて遊技領域を流下するパチンコ球を始動入賞装置の入賞口に直に誘導したり、あるいは所定箇所に集めたりする「磁石によるゴト行為」と称される不正行為が行われることがある。
【０００４】
前記磁石による不正行為に対して、例えば特許文献１のパチンコ機では、遊技盤の裏側や該遊技盤の裏側に取り付けられる集合樋の裏側に磁気センサを配置し、不正行為を意図してガラス面に磁石を近づけたときに、該磁石の磁気を磁気センサで検出して打球発射装置を停止する等の不正防止対策を講じるよう構成されている。
【先行技術文献】
【特許文献】
【０００５】
【特許文献１】特開昭６０−４００７８号公報
【発明の開示】
【発明が解決しようとする課題】
【０００６】
パチンコ機においては、前記板状部材の裏側に臨む設置部材に、演出の興趣を向上するための可動装置や発光装置、あるいは各入賞装置に入賞したパチンコ球を排出するための排出樋等の各種の遊技部品が配設される。このように、設置部材には多数の遊技部品が組み付けられるように構成されることから、遊技部品を設置部材に組み付ける際に該遊技部品が磁気センサに接触して該磁気センサが破損等しないようにするため、磁気センサの全体を収容保護する保持部を設置部材に設け、該保持部に磁気センサを収容して取り付けることが一般的に行われている。しかしながら、磁気センサにおける検出部の全体が保持部で覆われてしまうと、磁気検出能力が低下するおそれがある。なお、磁気感度の高い磁気センサを用いることで磁気検出能力の低下を補うことができる反面、設置部材に配設されているソレノイドやモータ等の磁気作用により誤検出を招くおそれがある。
【０００７】
すなわち本発明は、従来の技術に係る遊技機に内在する前記課題に鑑み、これを好適に解決するべく提案されたものであって、磁気センサを保護すると共に磁石による不正行為を適確に検出し得る遊技機を提供することを目的とする。
【課題を解決するための手段】
【０００８】
前記課題を克服し、所期の目的を達成するため、本願の請求項１に係る発明は、
遊技球が流下する遊技領域(21)が前側に設けられた板状本体(20)と、前方に開放する箱状に形成され、前記板状本体(20)の裏側に取り付けられる設置部材(19)と、一対のリード片(56,56)をケーシング(55)内に接離可能に対向配置して構成された磁気センサ(54)とを備えた遊技機において、
前記設置部材(19)に、前記板状本体(20)の裏面と対向してセンサ設置部(58,69)が設けられ、
前記センサ設置部(58,69)に、
前記磁気センサ(54)を、前記リード片(56,56)の延在方向を板状本体(20)の裏面に沿わせる姿勢で収容保持する収容保持部(59,70)と、
前記収容保持部(59,70)に保持した磁気センサ(54)における少なくとも検出部を前側に露出する開口部(58a,69a)とが設けられることを要旨とする。
【０００９】
請求項１の発明によれば、磁気センサにおける検出部を板状部材側に露出する開口部をセンサ設置部に設けたので、磁気センサを保護しつつ磁気検出能力の低下を抑制して、磁石による不正行為を適確に検出し得る。また、リード片の延在方向が板状部材の裏面に沿う姿勢で磁気センサを配置することで、１つの磁気センサにより磁気を検出し得る範囲が広くなり、磁気センサの設置数を減らしてコストを削減し得る。
【００１０】
請求項２に係る発明では、前記センサ設置部(58,69)は、該センサ設置部(58,69)の前端が、前記設置部材(19)の開放端に位置するように設けられることを要旨とする。
請求項２の発明によれば、磁気センサを板状部材の裏面に可能な限り近接させることができ、検出感度の低い磁気センサを使用することが可能となり、コストを低減することができる。
【００１１】
請求項３に係る発明では、前記センサ設置部(58,69)は、前後方向に弾性変形可能に構成されることを要旨とする。
請求項３の発明によれば、センサ設置部の弾性によって該センサ設置部の前端を板状部材の裏面に当接させることができるので、板状部材の裏面に対する磁気センサの検出部の位置を一定に保持することができ、該磁気センサの検出感度が変化するのを防止し得る。
【００１２】
請求項４に係る発明では、前記センサ設置部(69)の開口部(69a)は、前記収容保持部(70)に収容した磁気センサ(54)の前面を全て露出するように開口すると共に、該収容保持部(70)に収容した磁気センサ(54)の前面がセンサ設置部(69)の前端に位置するよう構成されることを要旨とする。
請求項４の発明によれば、磁気センサの前面の全体を板状部材の裏面に可能な限り近接させることができ、検出感度の低い磁気センサによって広範囲で磁気を検出することができる。
【００１３】
請求項５に係る発明では、前記センサ設置部(58,69)の開口部(58a,69a)は、前記収容保持部(59,70)に対して磁気センサ(54)を前側から挿脱自在に収容し得る形状に形成されると共に、該開口部(58a,69a)から収容保持部(59,70)に収容した磁気センサ(54)の前面に係脱自在に係合して該磁気センサ(54)を収容保持部(59,70)に位置決め固定する固定手段(67)を備えることを要旨とする。
請求項５の発明によれば、センサ設置部に対して磁気センサを前側から着脱することができ、取り付け作業が容易となる。
【００１４】
請求項６に係る発明では、前記センサ設置部(58)の前面に、後方に凹む凹部(65)が設けられ、前記固定手段(67)における磁気センサ(54)の前面に係合する係合部(67a)が凹部(65)内に臨むよう構成されることを要旨とする。
請求項６の発明によれば、固定手段がセンサ設置部の前側に突出して板状部材の裏面を傷付けるのを防止し得る。
【発明の効果】
【００１５】
本発明に係る遊技機によれば、磁気センサを保護すると共に磁石による不正行為を適確に検出し得る。
【図面の簡単な説明】
【００１６】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係る遊技盤を示す概略正面図である。
【図４】実施例に係る板状部材、設置部材および枠状装飾部材を分解して前側から見た概略斜視図である。
【図５】実施例に係る板状部材と設置部材とを分解して前側から見た要部概略斜視図である。
【図６】実施例に係る磁気センサを示す概略説明図であって、(ａ)は第１センサ設置部に取り付けられる状態での正面図であり、(ｂ)は右側面図である。
【図７】実施例に係る球排出経路部材における第１センサ設置部の配設部位を、該第１センサ設置部から磁気センサを取り外した状態で前側から視た概略斜視図である。
【図８】実施例に係る第１センサ設置部を、該第１センサ設置部に磁気センサを取り付けた状態で前側から視た概略斜視図である。
【図９】実施例に係る遊技盤を第１センサ設置部の配設位置で縦断した要部断面図である。
【図１０】実施例に係る設置部材における第２センサ設置部の配設部位を、該第２センサ設置部から磁気センサを取り外した状態で前側から視た概略斜視図である。
【図１１】実施例に係る第２センサ設置部を、該第２センサ設置部に磁気センサを取り付けた状態で前側から視た概略斜視図である。
【図１２】実施例に係る遊技盤を第２センサ設置部の配設位置で縦断した要部断面図である。
【発明を実施するための形態】
【００１７】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１８】
(パチンコ機１０について)
実施例に係るパチンコ機１０は、図１および図２に示すように、前後に開口する矩形枠状に形成されて遊技店の図示しない設置枠台に縦置き姿勢で設置される固定枠としての外枠１１の開口前面側に、遊技盤Ｍを着脱可能に保持する本体枠としての中枠１２が開閉および着脱可能に組み付けられて、該遊技盤Ｍの裏側に、各種図柄を変動表示可能な図柄表示装置１８が着脱可能に配設されている。また、前記中枠１２の前面側には、前記遊技盤Ｍを透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１９】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、前記上球受け皿１４に貯留されたパチンコ球が前記遊技盤Ｍに向けて発射されるようになっている。ここで、前記操作レバー１７ａの回動量に応じて前記打球発射装置１６によるパチンコ球の打球力が強弱変化するよう構成されており、遊技者が操作レバー１７ａの回動量を操作することで、前記遊技盤Ｍに形成された第１球流下経路２１ａ(後述)をパチンコ球が流下する所謂「左打ち」と、該遊技盤Ｍに形成された第２球流下経路２１ｂ(後述)をパチンコ球が流下する所謂「右打ち(ゴム打ち)」とを打ち分け得るようになっている。
【００２０】
(遊技盤Ｍについて)
本実施例では、所定板厚の略矩形状に形成された木材板の表面に各種絵柄等が描かれた合成樹脂シート(図示せず)等を貼付けて装飾した板状部材２０と、該板状部材２０の裏側に着脱自在に取り付けられる設置部材１９とから遊技盤Ｍが構成されている(図４参照)。板状部材２０の表面には、略円形状に湾曲形成された案内レール２３が配設され、該案内レール２３によってパチンコ球が流下可能な遊技領域２１が画成されている。なお、前記図柄表示装置１８は、設置部材１９の裏側に取り付けられて、後述するように設置部材１９に設けた開口部１９ａおよび後述する枠状装飾部材３１に設けた開口部３１ａを介して板状部材２０の前側に臨むよう構成される。
【００２１】
前記案内レール２３は、図３に示す如く、板状部材２０の左下部から右上部に至るよう左方向に膨出する円弧状に形成された外レール２４と、板状部材２０の右上部、右下部および左上部に至るよう右方向に膨出する円弧状に形成された内レール２５,２６とから構成されている。前記内レール２５,２６は、外レール２４の右上端部に連接して板状部材２０の右上部から下部に亘って配設され、左端縁が右方に凹む円弧状に形成された盤面飾り部材２５と、板状部材２０の下部から左上部に亘って配設されて盤面飾り部材２５の下端部に連接し、前記外レール２４の右方(内側)に離間して位置するレール部材２６とから構成され、該外レール２４およびレール部材２６により１個のパチンコ球が通過可能な発射通路２３ａが画成されている。ここで、前記内レールを構成するレール部材２６は、前記板状部材２０の左上部に開放端を臨ませて外レール２４との間に遊技領域２１に開口する打出し口２３ｂを画成するよう構成されて、前記打球発射装置１６から発射されたパチンコ球が発射通路２３ａの下方開口から飛翔して、レール部材２６の開放端側の打出し口２３ｂから遊技領域２１内に打ち出されるようになっている。
【００２２】
図３に示す如く、前記外レール２４と盤面飾り部材２５との接続位置は、外レール２４および盤面飾り部材２５の曲率の相違から段差が形成されており、該段差部分に緩衝ゴム(減勢部)２７が配設されている。すなわち、前記外レール２４の終端位置に臨むよう緩衝ゴム２７が配設されて、前記打球発射装置１６から発射されて外レール２４に沿って終端位置まで移動して緩衝ゴム２７に当接したパチンコ球を減勢し得るようになっている。なお、前記緩衝ゴム２７は、前記第２球流下経路２１ｂに位置している。
【００２３】
(板状部材２０の装着口２８)
前記板状部材２０には、図４に示す如く、前後に貫通する装着口２８が前記遊技領域２１内に複数開設されて、各装着口２８に対して各種遊技部品が前側から取り付けられると共に、遊技領域２１の最下部位置には、該遊技領域２１に開口する第１アウト口(アウト口)２９が開設されており、遊技領域２１に打ち出されて第１アウト口２９に入球したパチンコ球が機外に排出されるよう構成される。また、前記板状部材２０には、前記遊技領域２１内に多数の遊技釘３０が植設されており、遊技領域２１を流下するパチンコ球が遊技釘３０に接触することでパチンコ球の流下方向を不規則に変化させるようになっている。なお、前記装着口２８の形成数は、板状部材２０に対して取り付けられる各種遊技部品の個数や配設位置等により必要に応じて適宜決定される。
【００２４】
実施例の前記板状部材２０には、図４に示す如く、前記案内レール２３で囲まれた遊技領域２１の略中央の大部分が開口する第１装着口(貫通孔)２８に、前後に開口する開口部３１ａが形成された枠状装飾部材３１が取り付けられ、該枠状装飾部材３１の開口部３１ａを介して図柄表示装置１８の表示部が板状部材２０(遊技盤Ｍ)の前面側に臨むよう構成されている。そして、第１装着口２８(枠状装飾部材３１)の下方に開設された第２装着口(図示せず)に、遊技領域２１(後述する第１球流下経路２１ａ)を流下するパチンコ球が入賞可能な第１始動入賞口３２ａを有する第１始動入賞装置３２が取り付けられ、該第２装着口(第１始動入賞装置３２)の右方から上方にかけて開設された第３装着口(図示せず)に、遊技領域２１(後述する第２球流下経路２１ｂ)を流下するパチンコ球が入賞可能な特別入賞装置３３が取り付けられている。また、実施例のパチンコ機１０では、前記枠状装飾部材３１における特別入賞装置３３の上方であって第２球流下経路２１ｂに臨む位置に、該第２球流下経路２１ｂを流下するパチンコ球が入賞可能な第２始動入賞口３４ａを有する第２始動入賞装置３４が設けられている。更に、枠状装飾部材３１には、第２始動入賞口３４ａの上側において、第２球流下経路２１ｂに開口するよう第２アウト口４７が設けられており、第２球流下経路２１ｂを流下するパチンコ球を第２アウト口４７で回収して機裏側に通出し得るよう構成される。
【００２５】
実施例のパチンコ機１０では、前記第１始動入賞装置３２に設けられた第１始動入賞口３２ａまたは第２始動入賞装置３４に設けられた第２始動入賞口３４ａに遊技領域２１を流下するパチンコ球が入賞することで、前記図柄表示装置１８において図柄が変動表示されて図柄変動演出が展開され、該図柄変動演出の結果、図柄表示装置１８に所定の図柄組み合わせ(例えば同一図柄の３つ揃い等)で図柄が停止表示されることで所謂大当り(当り)が発生し、大当りの発生に伴って前記特別入賞装置３３が開放して多数の賞球を獲得し得る機会が与えられるようになっている。ここで、前記第１始動入賞装置３２は、第１始動入賞口３２ａが遊技領域２１に常時開放する常時開放型の入賞装置とされ、前記第２始動入賞装置３４は、所定の開放条件および閉鎖条件に従って第２始動入賞口３４ａが開閉部材３５により開閉される開閉型の入賞装置とされている。そして、前記特別入賞装置３３は、開閉体３３ａにより特別入賞口３３ｂを常には閉鎖(入賞不能状態と)するよう構成され、大当りの発生に伴って特別入賞口３３ｂを開放(入賞可能状態と)するよう構成されている。
【００２６】
(球通過ゲート３６について)
前記板状部材２０には、図３に示す如く、前記枠状装飾部材３１より右側に画成されている前記第２球流下経路２１ｂに、パチンコ球が通過可能な球通過ゲート３６が配設されている。球通過ゲート３６には、該ゲート３６をパチンコ球が通過したことを検知するゲートセンサ(図示せず)が配設される。そして、ゲートセンサが接続される図示しない制御装置は、該ゲートセンサの球検知に基づき前記第２始動入賞装置３４の開閉部材３５を開放するか否かの始動口開放抽選を行うよう構成されている。そして、始動口開放抽選に当選した場合に、制御装置は前記第２始動入賞装置３４を制御して開閉部材３５を開放するよう設定される。
【００２７】
(特別入賞装置３３について)
前記枠状装飾部材３１に配設した第２始動入賞装置３４より下側の遊技領域２１(第２球流下経路２１ｂ)の板状部材２０に配設された前記特別入賞装置３３は、特別入賞口３３ｂが開閉体(開閉部材)３３ａで常には閉鎖されている。そして、前記図柄表示装置１８での図柄変動の結果、図柄表示装置１８の表示部に所定の図柄組み合わせ(例えば同一図柄の三つ揃い等)で図柄が停止表示されることで所謂「大当り」が発生した場合に、前記制御装置によって開閉体３３ａを開放するよう作動制御し、これにより遊技領域２１(第２球流下経路２１ｂ)に開口した特別入賞口３３ｂへの入賞により多数の賞球を獲得し得るように構成されている。特別入賞装置３３には、前記特別入賞口３３ｂより下側に、遊技領域２１を流下するパチンコ球が入賞可能な普通入賞口４８が設けられている(図３参照)。
【００２８】
(枠状装飾部材３１について)
前記板状部材２０に配設される前記枠状装飾部材３１は、図４に示す如く、前記板状部材２０に開設された前記第１装着口２８の内側に沿って延在する環状に形成された枠状基部３７と、該枠状基部３７に設けられて前記板状部材２０の前面より前方に突出し、前記遊技領域２１と図柄表示装置１８の表示部(表示領域)を区切る庇状部３８と、該庇状部３８の後縁から外方に延出する薄板状の台板部３９とを備える。そして、前記枠状基部３７を第１装着口２８に挿入すると共に台板部３９を板状部材２０の前面に当接した状態で、該台板部３９をネジ等の固定手段で板状部材２０に固定することで、枠状装飾部材３１が板状部材２０に取り付けられる。ここで、前記庇状部３８は、図３に示す如く、前記枠状装飾部材３１(枠状基部３７)の左側縁の中間位置から上縁および右下縁に亘って連続して延在するよう設けられており、図柄表示装置１８の前面側を横切ってパチンコ球が流下(落下)するのを規制している。
【００２９】
前記枠状装飾部材３１には、図３,図４に示す如く、開口部３１ａの下側に、ステージ４２が配設されると共に、開口部３１ａの左側に、遊技領域２１に開口して該遊技領域２１を流下するパチンコ球を取り込んでステージ４２に案内する球導入部４３が設けられ、該球導入部４３からステージ４２に通出されたパチンコ球は、ステージ４２上を左右に転動した後に、前記第１始動入賞装置３２が配設されている遊技領域２１に排出される。またステージ４２の後端縁には、左右方向の全長に亘って上側に向けて所定高さで立上がる透明壁４４が設けられ、ステージ４２上を転動するパチンコ球が図柄表示装置１８の表示部側に移動するのを該透明壁４４で防止している。なお、実施例では、枠状装飾部材３１の枠状基部３７や庇状部３８の前側に、各種の意匠が施された光透過性の装飾部品４１が配設され、該装飾部品４１および透明壁４４によって前記図柄表示装置１８の表示部を前側に臨ませる開口部３１ａが画成されている。
【００３０】
前記庇状部３８は、図３に示す如く、最上部位置から左右方向に下方傾斜するよう形成されて、遊技領域２１に打ち出されたパチンコ球が庇状部３８上で滞ることなく前記枠状装飾部材３１の左側方または右側方へ誘導されるよう形成されている。すなわち、前記板状部材２０に画成された遊技領域２１には、前記枠状装飾部材３１の左側方をパチンコ球が流下する第１球流下経路２１ａ、および該枠状装飾部材３１の上方から右側方をパチンコ球が流下する第２球流下経路２１ｂが設けられており、前記打出し口２３ｂから遊技領域２１に打ち込まれたパチンコ球は、第１球流下経路２１ａおよび第２球流下経路２１ｂの何れかを流下するよう構成される。換言すると、前記打球発射装置１６により遊技領域２１内に発射されたパチンコ球は、到達位置に応じて前記枠状装飾部材３１およびレール部材２６(内レール２５,２６)の間に形成される第１球流下経路２１ａか、或いは枠状装飾部材３１、外レール２４および盤面飾り部材２５(内レール２５,２６)の間に形成される第２球流下経路２１ｂの何れかを流下する。そして、実施例に係るパチンコ機１０では、前記第１球流下経路２１ａをパチンコ球が流下する場合(左打ちした場合)に、パチンコ球が第２球流下経路２１ｂを流下する場合に較べて第１始動入賞装置３２の第１始動入賞口３２ａにパチンコ球が入賞する可能性が高くなるよう構成されると共に、該第２球流下経路２１ｂをパチンコ球が流下する場合(右打ちの場合)に、パチンコ球が第１球流下経路２１ａを流下する場合に較べて特別入賞装置３３の特別入賞口３３ｂや第２始動入賞装置３４の第２始動入賞口３４ａへパチンコ球が入賞する可能性が高くなるよう構成されている。なお、庇状部３８における前記開口部３１ａの上方に臨む略弧状に形成されている領域において、外レール２４との離間間隔は、パチンコ球１個分の幅寸法より大きく、かつ遊技球２個分の幅寸法より小さな幅寸設に設定されている。
【００３１】
(設置部材１９について)
前記設置部材１９は、前記板状部材２０の外郭形状より僅かに小さな形状に形成された略矩形状の背面板４５と、該背面板４５の外周縁部から前方に突出する画壁部４６とから前方に開口した箱状に形成されて、該画壁部４６の開口前端部を板状部材２０の裏面に当接させた状態で、当該板状部材２０と設置部材１９とがネジにより固定される。そして、設置部材１９において板状部材２０との間に画成される空間に、各種の可動演出装置５０や各種の発光装置５３等が設置されて、設置部材１９を基材とする１つのユニットとして扱い得るようになっている(図４参照)。また、前記設置部材１９の背面板４５には、前記枠状装飾部材３１の開口部３１ａと前後に整列する位置に、略矩形状の開口部１９ａが前後に開口するよう開設されると共に、該背面板４５の裏側に前記図柄表示装置１８が着脱自在に取り付けられて、該開口部１９ａを介して図柄表示装置１８の表示部が板状部材２０(遊技盤Ｍ)の前側に臨むようになっている。なお、前記設置部材１９における右側の画壁部４６に、内側に向けて所定幅で突出する支持段部４６ａ(図９参照)が上下方向に延在するように設けられており、該支持段部４６ａに、後述する球排出経路部材４９および発光装置５３がネジ止め固定されるようになっている。
【００３２】
(球排出経路部材４９について)
前記設置部材１９には、前記第２始動入賞口３４ａ、特別入賞口３３ｂ、普通入賞口４８に入賞したパチンコ球(セーフ球)および第２アウト口４７に入球したパチンコ球(アウト球)を排出案内する球排出経路部材４９が配設されている。この球排出経路部材４９には、第２始動入賞口３４ａに入賞したパチンコ球を排出案内する入賞球排出経路、特別入賞口３３ｂに入賞したパチンコ球を排出案内する特別入賞球排出経路、普通入賞口４８に入賞したパチンコ球を排出案内する普通入賞球排出経路および、第２アウト口４７に入球したパチンコ球を排出案内するアウト球排出経路が形成される。また球排出経路部材４９には、図５に示す如く、入賞球排出経路を第２始動入賞口３４ａに連通する入賞用開口４９ａおよびアウト球排出経路を第２アウト口４７に連通するアウト用開口４９ｂが前方に向けて開口すると共に、特別入賞球排出経路を特別入賞口３３ｂに連通する特別用開口４９ｃが上方に向けて開口している。また、普通入賞球排出経路を普通入賞口４８に連通する普通用開口４９ｄが前方に向けて開口している。
【００３３】
(可動演出装置５０について)
前記設置部材１９には、前記第２球流下経路２１ｂの裏側に臨む部分に、左右方向に往復移動自在な可動体５１を備えた可動演出装置５０が配設されており、前記図柄表示装置１８で行われる図柄変動演出に合わせて可動体５１を作動させることで、遊技の興趣を向上するよう構成してある。可動体５１は、前記背面板４５における開口部１９ａの下端縁より上側に延在して、該背面板４５の前面に沿って左右方向に直線的に往復移動可能に支持されている。また可動演出装置５０は、前記背面板４５における開口部１９ａの下端縁より下方に配設されて可動体５１に連繋した駆動手段５２を備え、該駆動手段５２によって可動体５１は、前記枠状装飾部材３１の開口部３１ａに臨んで前側に露出する作動位置と、開口部３１ａの中央側から作動位置より離れて枠状装飾部材３１および板状部材２０の裏側に隠れる待機位置との間を往復移動するよう構成される。そして、可動体５１は、待機位置において背面板４５と球排出経路部材４９との間に画成される空間に下端部が収容されるようになっている。
【００３４】
(発光装置５３について)
前記球排出経路部材４９の上端部には、待機位置に位置する可動体５１の前方に臨む発光装置５３が配設されている。発光装置５３は、待機位置に位置する可動体５１と前記枠状装飾部材３１の装飾部品４１との間に臨んでおり、該発光装置５３に設けたＬＥＤ等の発光体を点灯することで、装飾部品４１を裏側から照らして明輝させ得るよう構成される。また発光装置５３は、前記設置部材１９の支持段部４６ａにネジ止め固定されており、該発光装置５３が球排出経路部材４９を設置部材１９に固定するための部材としても機能している。更に、発光装置５３には、前記球排出経路部材４９におけるアウト用開口４９ｂの上方に近接する位置に位置決め部５３ａが設けられ、前記枠状装飾部材３１に設けた被位置決め部(図示せず)を該位置決め部５３ａに係合することで、発光装置５３に対して枠状装飾部材３１が位置決めされるよう構成される。
【００３５】
(磁気センサ５４について)
前記設置部材１９には、前記球通過ゲート３６、第１始動入賞装置３２および特別入賞装置３３の裏側に近接する位置に、後述するセンサ設置部５８,６９を介して磁気センサ５４が配設されている。この磁気センサ５４は、図６(ａ),(ｂ)に示す如く、長方形状のケーシング５５の内部に、その長手方向に沿う方向に延在する一対のリード片５６,５６の一部を接離可能に対向配置して構成されたリードスイッチが用いられる。ケーシング５５の長手方向の一端にコネクタ５７が設けられ、該コネクタ５７に、前記制御装置に電気的に接続する配線(図示せず)がコネクタ接続されるよう構成される。なお、コネクタ５７は、図６(ａ)に示す如く、ケーシング５５に対して短手方向に偏倚して設けられることで、当該磁気センサ５４を後述するセンサ設置部５８,６９に配設する際の位置決め部として機能するよう構成されている。また、ケーシング５５におけるコネクタ５７が偏倚する側と反対側の面に、該コネクタ５７の偏倚側に凹むように切欠かれた段部５５ａが設けられている。
【００３６】
(第１センサ設置部５８について)
前記設置部材１９には、前記球通過ゲート３６に近接する位置に、前記磁気センサ５４を前記板状部材２０の裏面に対向する姿勢で配設するための第１センサ設置部(センサ設置部)５８が配設されている。実施例では、第１センサ設置部５８は、前記球排出経路部材４９に一体的に設けられており、該球排出経路部材４９を設置部材１９に取り付けることで、第１センサ設置部５８に配設された磁気センサ５４が板状部材２０の裏面に対向位置して(図９参照)、前記前枠１３の透視保護板１３ｂに磁石が近づけられたときに、該磁石の磁気を磁気センサ５４で検出し得るよう構成される。なお、磁気センサ５４は、前記制御装置に電気的に接続されて、該磁気センサ５４が磁気を検出した際に、制御装置が警報を発するようにスピーカを制御したり、打球発射装置１６の作動を停止制御するよう構成される。
【００３７】
前記第１センサ設置部５８には、図７,図８に示す如く、後方に向けて凹設されて前方および下方に開口する収容保持部５９が設けられている。この収容保持部５９は、磁気センサ５４におけるケーシング５５を収容する第１収容部５９ａと、ケーシング５５に設けられたコネクタ５７を収容する第２収容部５９ｂとからなり、該第１収容部５９ａおよび第２収容部５９ｂによって収容保持部５９は、磁気センサ５４を前側から収容可能な形状およびサイズに形成されている。実施例では、第１センサ設置部５８の収容保持部５９は、上下方向に長手が延在するよう設定されると共に、第１収容部５９ａの下側に第２収容部５９ｂが形成されており、収容保持部５９に対して磁気センサ５４は、前記リード片５６,５６の延在方向が上下方向に沿うと共にコネクタ５７が下向きとなる姿勢で収容されるよう構成される。そして、第１センサ設置部５８に配設された磁気センサ５４は、リード片５６,５６の延在方向が、前記板状部材２０の裏面と平行となる姿勢で位置決めされる。また実施例では、収容保持部５９は全体的に前方に開口して、該収容保持部５９に収容された磁気センサ５４の前面(収容保持部５９に収容された状態で前側を向く面)の全体を前側に露出するよう構成される。すなわち、実施例では収容保持部５９の前面開口が、磁気センサ５４の検出部を前側に露出する開口部５８ａとして機能するよう構成されている。
【００３８】
前記収容保持部５９のより具体的な構成について説明すれば、該収容保持部５９は、後壁６０と、該後壁６０の左側縁から前側に延在する左側壁６１と、後壁６０の右側縁から前側に延在する右側壁６２と、後壁６０の上端縁から前側に延在すると共に両側壁６１,６２を連設する上壁６３とによって構成されて、後壁６０、左側壁６１、右側壁６２および上壁６３とによって前方に開口する前記第１収容部５９ａが画成される。また、右側壁６２の下端部には、左側壁６１から離間する方向(右方)に向けて凹む凹壁６４が上下方向に所定長さに亘って連設されており、該凹壁６４と後壁６０および左側壁６１によって前方および下方に開口する前記第２収容部５９ｂが画成される。更に、左側壁６１の下端部に、右側(凹壁６４側)に向けて所定長さで延出する規制部６１ａが設けられている。そして、磁気センサ５４を、コネクタ５７が下向きで右側に位置する姿勢で収容保持部５９に前側から収容することで、ケーシング５５の段部５５ａが規制部６１ａに係合して、収容保持部５９に対して磁気センサ５４の下方への抜け止めがなされるよう構成される。
【００３９】
前記第１センサ設置部５８には、図７,図８に示す如く、左側壁６１の上下方向の中間位置から上壁６３の全体および右側壁６２の上下方向の中間位置までの間に、これら壁６１,６２,６３の前面を第１センサ設置部５８の前面より所定長さだけ後側に退避させた凹部６５が形成されている。また、右側壁６２における凹部６５の形成位置に臨む外側面(右側面)に、筒状で前面にネジ孔６６ａが開口するネジ止め部６６が設けられている。そして、収容保持部５９に磁気センサ５４を収容した状態で、ネジ止め部６６のネジ孔６６ａに固定手段としてのネジ６７を螺挿することで、該ネジ６７の頭部(係合部)６７ａが磁気センサ５４のケーシング前面に当接して、収容保持部５９からの磁気センサ５４の前方への脱落を防止すると共に位置決め保持し得るよう構成される。また、ネジ止め部６６にネジ６７を螺挿して収容保持部５９に磁気センサ５４を位置決め保持した状態で、該ネジ６７の頭部６７ａが凹部６５内に臨んで、該頭部６７ａが第１センサ設置部５８の前面から前方に突出しないように、前記凹部６５の前後長が設定されている(図９参照)。なお、実施例では、前記ネジ６７として、円板状のフランジを備える頭部６７ａが設けられたものが用いられている。
【００４０】
前記第１センサ設置部５８の上端部には、前記発光装置５３に対する取着部６８が設けられており、該取着部６８が発光装置５３にネジ止め固定されるよう構成される。また、第１センサ設置部５８には、収容保持部５９の側方(右側方)に、前後に貫通する通孔(図示せず)が形成されており、該第１センサ設置部５８の裏面を前記設置部材１９の支持段部４６ａの前面に当接した状態で、通孔に前側から挿通したネジによって第１センサ設置部５８を支持段部４６ａにネジ止め固定し得るよう構成される。そして、第１センサ設置部５８を支持段部４６ａに固定した状態で、該第１センサ設置部５８に取り付けられた磁気センサ５４の磁気検出可能範囲が、前記球通過ゲート３６および該球通過ゲート３６より上側の第２球流下経路２１ｂに及ぶ位置に臨むよう設定されている。
【００４１】
ここで、前記第１センサ設置部５８の収容保持部５９に磁気センサ５４を収容した状態で、該磁気センサ５４の前面は、前記凹部６５の前面(壁６１,６２,６３における凹部６５が形成されている部分の前面)と略同一位置に位置するよう設定される。また、前記支持段部４６ａに第１センサ設置部５８を固定した状態で、該第１センサ設置部５８の前端(壁６１,６２,６３における凹部６５が形成されていない部分の前面)が、前記設置部材１９の開放端に位置するよう設定されている。これにより、設置部材１９を前記板状部材２０の裏側に取り付けた状態で、第１センサ設置部５８の前端が板状部材２０の裏面に略当接し、磁気センサ５４の前面が板状部材２０の裏面に近接位置するよう構成される(図９参照)。
【００４２】
実施例では、前記球排出経路部材４９に一体的に設けられた第１センサ設置部５８を設置部材１９の前記支持段部４６ａにネジ止め固定することで、該球排出経路部材４９が設置部材１９に固定されるよう構成されている。また球排出経路部材４９は、下部側における複数箇所において設置部材１９の前記背面板４５にネジ止め固定されるようになっている。そして、球排出経路部材４９は、支持段部４６ａから内側に延出する端部側については、設置部材１９に支持されておらず、該球排出経路部材４９は設置部材１９に対する固定部を支点として僅かに前後方向に弾性変形可能となっている。言い替えるなら、該球排出経路部材４９に設けられている第１センサ設置部５８についても、前後方向に弾性変形可能であって、該第１センサ設置部５８の前面を弾性によって板状部材２０の裏面に当接可能に構成されている。
【００４３】
(第２センサ設置部６９について)
前記設置部材１９には、前記特別入賞装置３３および第１始動入賞装置３２に近接する位置に、前記磁気センサ５４を前記板状部材２０に対向する姿勢で配設するための第２センサ設置部(センサ設置部)６９が配設されている。実施例では、第２センサ設置部６９は、設置部材１９の前記背面板４５の前側にネジ止め固定されて前記第１始動入賞口３２ａに入賞したパチンコ球を機外に排出する始動口用球排出経路部材７７に一体的に設けられており、該設置部材１９を板状部材２０の裏側に取り付けることで、第２センサ設置部６９に配設された磁気センサ５４が板状部材２０の裏面に対向位置して(図１２参照)、前記前枠１３の透視保護板１３ｂに磁石が近づけられたときに、該磁石の磁気を磁気センサ５４で検出し得るよう構成される。なお、第２センサ設置部６９に配設された磁気センサ５４についても、前記制御装置に電気的に接続されて、該磁気センサ５４が磁気を検出した際に、制御装置が警報を発するようにスピーカを制御したり、打球発射装置１６の作動を停止制御するよう構成される。
【００４４】
前記第２センサ設置部６９の基本的な構成は、前記第１センサ設置部５８の構成と同じであって、該第２センサ設置部６９は、図１０,図１１に示す如く、後方に向けて凹設されて前方および上方に開口する収容保持部７０が、後壁７１と、該後壁７１の左側縁から前側に延在する左側壁７２と、後壁７１の右側縁から前側に延在する右側壁７３と、後壁７１の下端縁から前側に延在すると共に両側壁７２,７３を連設する下壁７４とによって構成される。そして、後壁７１、左側壁７２、右側壁７３および下壁７４とによって前方に開口して磁気センサ５４のケーシング５５が収容される第１収容部７０ａが画成されている。また左側壁７２は、右側壁７３より上端部が低い位置に臨むように設定されると共に、該左側壁７２の上側には左側壁７２より左側に離間した位置において上下方向に延在する壁部７５が設けられており、該壁部７５と後壁７１および右側壁７３によって前方および上方に開口して磁気センサ５４のコネクタ５７が収容される第２収容部７０ｂが画成されている。更に、右側壁７３の上端部に、左側(壁部７５側)に向けて所定長さで延出する規制部７３ａが設けられている。そして、磁気センサ５４を、コネクタ５７が上向きで左側に位置する姿勢で収容保持部７０に前側から収容することで、ケーシング５５の段部５５ａが規制部７３ａに係合して、収容保持部７０に対して磁気センサ５４の上方への抜け止めがなされるよう構成される。すなわち、第２センサ設置部６９の収容保持部７０には、第１センサ設置部５８の収容保持部５９に対する磁気センサ５４の収容姿勢とは、上下および左右が反転した姿勢で磁気センサ５４が収容されるようになっている。また、第２センサ設置部６９においても収容保持部７０は全体的に前方に開口して、該収容保持部７０に収容された磁気センサ５４の前面(収容保持部７０に収容された状態で前側を向く面)の全体を前側に露出するよう構成される。すなわち、収容保持部７０の前面開口が、磁気センサ５４の検出部を前側に露出する開口部６９ａとして機能するよう構成されている。
【００４５】
ここで、第２センサ設置部６９には、前記第１センサ設置部５８に設けたネジ止め部６６は設けられておらず、前記収容保持部７０の内部寸法が、該収容保持部７０に磁気センサ５４を収容した際に、該磁気センサ５４が前方へ簡単に抜けないように設定されている。また、第２センサ設置部６９には、前記第１センサ設置部５８に設けた凹部６５は設けられておらず、該第２センサ設置部６９の収容保持部７０に収容した磁気センサ５４の前面は、第２センサ設置部６９の前端に位置するよう構成される。更に、第２センサ設置部６９の前端(収容保持部７０を画成する壁７２,７３,７４の前面)が、設置部材１９の開放端に位置するよう設定されている。これにより、設置部材１９を前記板状部材２０の裏側に取り付けた状態で、第２センサ設置部６９の前端が板状部材２０の裏面に当接し、磁気センサ５４の前面が板状部材２０の裏面に当接するよう構成される(図１２参照)。
【００４６】
前記始動口用球排出経路部材７７は、前記設置部材１９の背面板４５に対して可動演出装置等の遊技部品Ｔの収容を可能な隙間Ｓをあけて配設されており(図１２参照)、該始動口用球排出経路部材７７は前後方向に弾性変形可能になっている。すなわち、該始動口用球排出経路部材７７に一体的に設けられた第２センサ設置部６９についても、前後方向に弾性変形可能であって、該第２センサ設置部６９の前面を弾性によって板状部材２０の裏面に当接可能に構成されている。
【００４７】
〔実施例の作用〕
次に、前述した実施例に係るパチンコ機１０の作用につき説明する。
【００４８】
前記図柄表示装置１８による図柄変動演出を開始させる契機となる第１始動入賞装置３２の第１始動入賞口３２ａや、第２始動入賞装置３４の開閉部材３５を開放するか否かの始動口開放抽選を行う契機となる球通過ゲート３６は、不正行為を意図している不正遊技者が磁石を用いた不正行為で狙われ易い部位である。この不正行為としては、前記透視保護板１３ｂに近づけた磁石でパチンコ球を吸着して、第１始動入賞口３２ａや球通過ゲート３６に直にパチンコ球を入賞させる行為や、前記遊技領域２１において遊技釘３０により形成される経路の一部をパチンコ球で詰まらせて、第１始動入賞口３２ａや球通過ゲート３６へパチンコ球が誘導され易いようにする行為等が挙げられる。
【００４９】
この場合に、前記板状部材２０の裏側における第１始動入賞口３２ａや球通過ゲート３６に近接する位置に、前記磁気センサ５４を配設しているので、第１始動入賞口３２ａや球通過ゲート３６の前側に臨む透視保護板１３ｂに磁石が近づけられたときには、該磁石の磁力を磁気センサ５４で検出して不正行為が行われていることを発見することができる。そして、磁気センサ５４が磁気を検出した場合は、前記制御装置の制御下に異常報知が行われ、不正行為を防ぐことができる。
【００５０】
前記設置部材１９に磁気センサ５４を取り付けるためのセンサ設置部５８,６９では、収容保持部５９,７０に収容した磁気センサ５４の前面の全体が前側に露出する開口部５８ａ,６９ａが設けられているので(図８,図１１参照)、該磁気センサ５４を保護しつつ磁気検出能力の低下を抑制して、磁石による不正行為を適確に検出することができる。すなわち、磁気センサ５４においてリード片５６によって磁気を検出可能な検出部の前面(板状部材２０との対向面)は、保持部等によって覆われることなく板状部材２０の裏面に直接対向するよう臨んでいるので、検出部が保持部によって覆われる構成に比べて磁気センサ５４の検出感度を向上し得る。また、センサ設置部５８,６９に配設した磁気センサ５４は、前述したようにリード片５６の延在方向が前記板状部材２０の裏面に沿う姿勢に保持されるので、板状部材２０の裏面に対してリード片５６の延在方向が直交する姿勢で磁気センサ５４を配設する場合に比べて１つの磁気センサ５４により磁気を検出し得る範囲が広くなり、磁気センサ５４の設置数を減らしてコストを削減し得る。更に、磁気センサ５４のセンサ設置部５８,６９を設置部材１９に設け、かつ磁気センサ５４の姿勢を長手方向(リード片５６の延在方向)が上下方向に沿うようにしているから、遊技盤Ｍの後方に磁気センサ５４が突出することはなく、磁気センサ５４が他の部材の取り付けの障害となることはない。
【００５１】
前記センサ設置部５８,６９では、該設置部５８,６９の前端を設置部材１９の開放端に位置するよう構成したので、設置部材１９を板状部材２０の裏側に取り付けた状態で、センサ設置部５８,６９に保持した磁気センサ５４の前面を板状部材２０の裏面に可能な限り近接させることができ、検出感度の低い磁気センサを使用することが可能となり、コストを低減することができる。また、第１センサ設置部５８の収容保持部５９に対して磁気センサ５４は、前側から挿脱し得ると共に、ネジ止め部６６に前側から螺挿可能なネジ６７を介してセンサ設置部５８に位置決めし得るよう構成してある。更に、第２センサ設置部６９の収容保持部７０に対して磁気センサ５４は、前側から挿脱し得ると共に、ネジを用いることなくセンサ設置部５８に配設し得るよう構成してある。従って、板状部材２０と設置部材１９とを分離することで、センサ設置部５８,６９に対して磁気センサ５４を簡単に着脱することができる。
【００５２】
前記第１センサ設置部５８では、該設置部５８の前部に凹部６５を形成することで、磁気センサ５４を位置決めするネジ６７の頭部６７ａが設置部５８の前端から前側に突出しないよう構成してあるので、ネジ６７の頭部６７ａによって板状部材２０の裏面が傷付くのを防止することができる。従って、第１センサ設置部５８の前端を板状部材２０の裏面に当接するように該第１センサ設置部５８を設けることができる。この場合に、実施例ででは球排出経路部材４９に一体的に設けた第１センサ設置部５８は前後方向に弾性変形可能に構成されているので、該弾性によって常に第１センサ設置部５８の前端を板状部材２０の裏面に当接する位置に保持することができる。すなわち、板状部材２０の裏面に対する磁気センサ５４の検出部の位置を一定に保持することができ、該磁気センサ５４の検出感度が変化するのを防止し得る。
【００５３】
前記第２センサ設置部６９では、ネジを用いることなく収容保持部７０に磁気センサ５４を収容保持し得るよう構成すると共に、該収容保持部７０に収容した磁気センサ５４の前面が、該第２センサ設置部６９の前端に位置するよう構成してある。従って、第２センサ設置部６９に保持した磁気センサ５４の前面を板状部材２０の裏面に当接することができ、検出感度の低い磁気センサによって広範囲で磁気を検出することができる。また、前記始動口用球排出経路部材７７に一体的に設けた第２センサ設置部６９は前後方向に弾性変形可能に構成されているので、該弾性によって常に第２センサ設置部６９の前端を板状部材２０の裏面に当接する位置に保持することができる。すなわち、第２センサ設置部６９に配設した磁気センサ５４の前面を板状部材２０の裏面に当接した位置に保持することができるので、該磁気センサ５４の検出部の位置を板状部材２０に対して一定に保持することができ、該磁気センサ５４の検出感度が変化するのを防止し得る。
【００５４】
(変更例)
前述した実施例の構成に限定されるものではなく、その他の構成を適宜に採用することができる。
(1) 実施例では、磁気センサを、リード片の延在方向が上下方向に沿う姿勢(縦向き姿勢)で配設したが、リード片の延在方向が板状部材の裏面に沿う姿勢であれば、リード片の延在方向が左右方向に沿う姿勢(横向き姿勢)や傾斜している姿勢で配設する構成を採用することができる。そして、磁気センサを横向き姿勢で配設した場合は、左右方向のより広い範囲での不正行為を検出することが可能となる。
(2) 実施例では、センサ設置部の収容保持部を前側に全面的に開口し、磁気センサの前面の全てを前側に露出するよう構成したが、磁気センサにおける少なくとも検出部(リード片の配設部位)が前側に露出するものであれば、一部が塞がれたものであってもよい。すなわち、収容保持部の前側に磁気センサの前方への脱落を防止する壁を設けて、該壁に検出部を露出する開口部を設ける構成を採用し得る。
(3) 実施例では、センサ設置部(第１センサ設置部)にネジを用いて磁気センサを位置決め固定するよう構成したが、固定手段として弾性変形可能なフックをセンサ設置部に設け、該フックによって磁気センサを収容保持部に収容した状態で位置決めする構成を採用し得る。また、収容保持部を画成する壁の内面に複数の突部(固定手段)を設け、収容保持部に収容した磁気センサの表面に突部を当接することで位置決めするようにしてもよい。このように収容保持部の内側に固定手段を設けることで、固定手段がセンサ設置部の前端から突出することなく磁気センサの前面をセンサ設置部の前端に位置させることができる。
【００５５】
(4) 実施例では、センサ設置部を、他の機能を有する部材(球排出経路部材や始動口用球排出経路部材)に一体的に設けたが、センサ設置部を独立した部材として構成して、該センサ設置部を設置部材に取り付ける構成を採用し得る。この場合に、センサ設置部が前後方向に弾性変形可能な状態で設置部材に取り付けられる構成とすることが好ましい。
(5) 磁気センサ(センサ設置部)の配設位置は、実施例で説明した位置に限らず、ステージへパチンコ球を導入する球導入部の近傍や普通入賞口の近傍等、磁石により不正行為が行われ易い部分に対応する位置に設ける構成を採用し得ることは勿論である。
(6) 遊技盤を構成する板状部材は、木製に限らず、アクリルやポリカーボネート等の光透過性の合成樹脂材からなる透明板であってもよい。
(7) 実施例では、遊技機としてパチンコ機を例示して説明したが、これに限られるものではなく、アレンジボール機やピンボール機、スロットマシン機等の各種遊技機を採用し得る。
【符号の説明】
【００５６】
１９ 設置部材
２０ 板状部材
２１ 遊技領域
５４ 磁気センサ
５５ ケーシング
５６ リード片
５８ 第１センサ設置部(センサ設置部)
５８ａ 開口部
５９ 収容保持部
６５ 凹部
６７ ネジ(固定手段)
６７ａ 頭部(係合部)
６９ 第２センサ設置部(センサ設置部)
６９ａ 開口部
７０ 収容保持部
【図１】
2015029732.tif 000003
【図２】
2015029732.tif 000004
【図３】
2015029732.tif 000005
【図４】
2015029732.tif 000006
【図５】
2015029732.tif 000007
【図６】
2015029732.tif 000008
【図７】
2015029732.tif 000009
【図８】
2015029732.tif 000010
【図９】
2015029732.tif 000011
【図１０】
2015029732.tif 000012
【図１１】
2015029732.tif 000013
【図１２】
2015029732.tif 000014